(57)【要約】      （修正有）【課題】コンテンツを視聴する人数に応じて適切な課金を行うコンテンツ再生システム、コンテンツ再生指示装置及びコンテンツ再生指示プログラムを提供する。【解決手段】カラオケシステム３は、複数の部屋で構成された店舗において、各部屋に設置されるコンテンツ再生システムであって、ユーザによって指定されたコンテンツ情報の購入情報を参照し、購入情報に規定されている視聴人数を取得するコンテンツ指定処理と、コンテンツ指定処理で取得した視聴人数を通知する通知処理と、ユーザによって指定されたコンテンツ情報を再生するコンテンツ再生処理を実行可能とする。【選択図】図２
2020201441.tif 000002
【特許請求の範囲】
【請求項１】
複数の部屋で構成された店舗において、各部屋に設置されるコンテンツ再生システムであって、
コンテンツ指定処理と、通知処理と、コンテンツ再生処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生処理は、ユーザによって指定されたコンテンツ情報を再生する
コンテンツ再生システム。
【請求項２】
通知処理は、従業者が管理する管理装置に対して、コンテンツ指定処理で取得した視聴人数を通知する
請求項１に記載のコンテンツ再生システム。
【請求項３】
コンテンツ再生処理は、従業者の指示に基づいて開始される
請求項１または請求項２に記載のコンテンツ再生システム。
【請求項４】
コンテンツ再生システムは、読み取り部を備え、
コンテンツ再生処理は、読み取り部に所定の媒体を読み取ることで開始される
請求項１または請求項２に記載のコンテンツ再生システム。
【請求項５】
部屋に居る入室人数を取得し、入室人数と視聴人数に基づいて、コンテンツ再生処理を許可する
請求項１から請求項４の何れか１項に記載のコンテンツ再生システム。
【請求項６】
確認処理において、部屋に居る入室人数は、部屋を管理する管理装置から取得される
請求項５に記載のコンテンツ再生システム。
【請求項７】
コンテンツ再生処理は、コンテンツ情報が再生される画面に視聴人数を表示する
請求項１から請求項６の何れか１項に記載のコンテンツ再生システム。
【請求項８】
コンテンツ再生システムは、コンテンツ再生装置と、リモコン装置を備え、
リモコン装置は、コンテンツ指定処理と、通知処理を実行し、コンテンツ再生装置に対して、指定されたコンテンツ情報の再生を指示する
請求項１から請求項７の何れか１項に記載のコンテンツ再生システム。
【請求項９】
複数の部屋で構成された店舗において、各部屋に設置されるコンテンツ再生指示装置であって、
コンテンツ指定処理と、通知処理と、コンテンツ再生指示処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生指示処理は、ユーザによって指定されたコンテンツ情報をコンテンツ再生装置に再生させる
コンテンツ再生指示装置。
【請求項１０】
複数の部屋で構成された店舗において、各部屋に設置される情報取得処理装置で実行されるコンテンツ再生指示プログラムであって、
コンテンツ指定処理と、通知処理と、コンテンツ再生指示処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生指示処理は、ユーザによって指定されたコンテンツ情報をコンテンツ再生装置に再生させる
コンテンツ再生指示プログラム。
【発明の詳細な説明】
【技術分野】
【０００１】
本発明は、各種コンテンツ情報を再生するコンテンツ再生システム、コンテンツ再生指示装置、及び、コンテンツ再生指示プログラムに関する。
【背景技術】
【０００２】
現在、映画やドラマ等、各種コンテンツは、映画館やテレビ等、既存の再生形態のみならず、パーソナルコンピュータやスマートフォン等の各種情報処理装置で再生することが可能である。ユーザはネット上で配信される各種コンテンツを購入、あるいは、レンタルすることで気軽にコンテンツを視聴することが可能となっている。
【０００３】
特許文献１には、ユーザが所持するユーザ端末で動画情報を再生する動画配信方法が開示されている。この動画配信方法では、配信要求された動画情報を再生する権利をユーザ端末のユーザが持っている場合に動画情報の配信を開始し、持っていない場合には動画情報の配信を停止することが開示されている。この動画配信方法によれば、短期間に大量の動画配信要求があったときでも、直ちに動画配信を行うことができるとともに、高速で大規模な装置を導入する必要がなく、費用対効果を改善できる。
【０００４】
特許文献２には、動画のデジタルコピーを符号化することによって符号化されたファイルを準備し、固定鍵をもつ第１の暗号化方法を用いて符号化されたファイルを暗号化することによって暗号化されたコンテンツを準備し、公開鍵/秘密鍵ペアをもつ第２の暗号化方法を用いて暗号化されたコンテンツを暗号化することによって遠隔の受信装置へ送信すべきコンテンツを準備し、秘密鍵を、遠隔の受信装置に供給するために、コピーできない媒体に格納し、送信すべきコンテンツを遠隔の受信装置に送信する動画配信方法が開示されている。この動画配信方法によれば、デジタル映画ファイル等のコンテンツをセキュアな方法で適時かつ完全に送信することが可能となっている。
【先行技術文献】
【特許文献】
【０００５】
【特許文献１】特許第４０６９６５２号公報
【特許文献２】特許第５２１６３２２号公報
【発明の概要】
【発明が解決しようとする課題】
【０００６】
特許文献１、特許文献２に記載される動画配信方法では、動画情報を再生する装置において何人視聴するかについては考慮されていない。したがって、１人で視聴する場合であっても、家族や友人が集う場において視聴する場合であっても動画情報に対する課金は一律となっている。ところで動画情報等のコンテンツを提供するコンテンツホルダーは、映画館のように、視聴する各人に対して課金できる場合には、収益性も高いため、課金して得られた利益を利用して、更なるコンテンツを作成することが可能である。したがって、コンテンツホルダーは、最新で質の高いコンテンツを提供することが可能である。
【０００７】
一方、特許文献１、特許文献２に記載される従来の動画配信方法では、前述したように何人視聴しても、１つのコンテンツに対する課金は一律であるため、収益性はそれほど高くなく、映画館での上映が終了した後、所定の期間を設けて配信することが一般的である。
【０００８】
ところで、現在、カラオケボックスと呼ばれる店舗では、各部屋に備えられたカラオケ装置を利用して、歌唱が楽しまれている。本来、伴奏に合わせて歌唱を楽しむための部屋であるため、スピーカやアンプ等は、音響的に優れたものが設置されている。また、モニタ等の表示装置も大画面のものが配置されており、迫力のある映像を楽しむことが可能となっている。さらに、各部屋の防音設備も整っているため、大音量で歌唱を楽しむことが可能となっている。
【０００９】
本発明は、カラオケボックスのような設備の整った環境を利用し、映画やドラマ、あるいはコンサート等のコンテンツを再生することとしている。その際、カラオケボックスの各部屋に集う人数、すなわち、コンテンツを視聴する人数に応じて適切に課金することができるコンテンツ再生システムを提供することを目的としている。
【課題を解決するための手段】
【００１０】
そのため、本発明に係るコンテンツ再生システム、コンテンツ再生指示装置及びコンテンツ再生指示プログラムは、以下の構成を採用するものである。
複数の部屋で構成された店舗において、各部屋に設置されるコンテンツ再生システムであって、
コンテンツ指定処理と、通知処理と、コンテンツ再生処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生処理は、ユーザによって指定されたコンテンツ情報を再生する。
【００１１】
さらに本発明に係るコンテンツ再生システムにおいて、
通知処理は、従業者が管理する管理装置に対して、コンテンツ指定処理で取得した視聴人数を通知する。
【００１２】
さらに本発明に係るコンテンツ再生システムにおいて、
コンテンツ再生処理は、従業者の指示に基づいて開始される。
【００１３】
さらに本発明に係るコンテンツ再生システムは、読み取り部を備え、
コンテンツ再生処理は、読み取り部に所定の媒体を読み取ることで開始される。
【００１４】
さらに本発明に係るコンテンツ再生システムは、
部屋に居る入室人数を取得し、入室人数と視聴人数に基づいて、コンテンツ再生処理を許可する。
【００１５】
さらに本発明に係るコンテンツ再生システムは、
確認処理において、部屋に居る入室人数は、部屋を管理する管理装置から取得される。
【００１６】
さらに本発明に係るコンテンツ再生システムにおいて、
コンテンツ再生処理は、コンテンツ情報が再生される画面に視聴人数を表示する。
【００１７】
さらに本発明に係るコンテンツ再生システムは、コンテンツ再生装置と、リモコン装置を備え、
リモコン装置は、コンテンツ指定処理と、通知処理を実行し、コンテンツ再生装置に対して、指定されたコンテンツ情報の再生を指示する。
【００１８】
また本発明に係るコンテンツ再生指示装置は、
複数の部屋で構成された店舗において、各部屋に設置されるコンテンツ再生指示装置であって、
コンテンツ指定処理と、通知処理と、コンテンツ再生指示処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生指示処理は、ユーザによって指定されたコンテンツ情報をコンテンツ再生装置に再生させる。
【００１９】
また本発明に係るコンテンツ再生指示プログラムは、
複数の部屋で構成された店舗において、各部屋に設置される情報取得処理装置で実行されるコンテンツ再生指示プログラムであって、
コンテンツ指定処理と、通知処理と、コンテンツ再生指示処理と、を実行可能とし、
コンテンツ指定処理は、ユーザによって指定されたコンテンツ情報の購入情報を参照し、購入情報に規定されている視聴人数を取得し、
通知処理は、コンテンツ指定処理で取得した視聴人数を通知し、
コンテンツ再生指示処理は、ユーザによって指定されたコンテンツ情報をコンテンツ再生装置に再生させる。
【発明の効果】
【００２０】
本発明に係るコンテンツ再生システム、コンテンツ再生指示装置及びコンテンツ再生指示プログラムによれば、コンテンツを視聴する際、コンテンツを視聴する人数に応じて適切に課金を行うことが可能となる。
【図面の簡単な説明】
【００２１】
【図１】カラオケ店舗におけるネットワーク構成を示す図。
【図２】本発明の実施形態に係るカラオケシステムの構成を示す図。
【図３】本実施形態に係る対応付け処理（リモコン装置）を示すフロー図
【図４】本実施形態に係る対応付け処理（カラオケ装置）を示すフロー図
【図５】本実施形態に係るチケット情報のデータ構成を示す図
【図６】本実施形態に係る初期画面を示す図
【図７】本実施形態に係るコンテンツ選択画面を示す図
【図８】本実施形態に係るコンテンツ予約処理を示すフロー図
【図９】本実施形態に係る読取説明画面を示す図
【図１０】本実施形態に係るチケット読取画面を示す図
【図１１】本実施形態に係るチケット人数確認画面を示す図
【図１２】本実施形態に係る人数確認説明画面を示す図
【図１３】本実施形態に係るスタッフ専用確認画面を示す図
【図１４】本実施形態に係るＩＣカード読取画面を示す図
【図１５】本実施形態に係る予約確認画面を示す図
【図１６】本実施形態に係る再生処理を示すフロー図
【発明を実施するための形態】
【００２２】
カラオケボックスのようなカラオケ店舗では、多数のカラオケ装置、リモコン装置が必要とされ、このような環境下では、複数のリモコン装置は、ネットワーク上に設置されたアクセスポイントを介してネットワークに接続される。図１は、カラオケ店舗におけるネットワーク構成の一例を示した図である。
【００２３】
この図に示されるようにＡ号室〜Ｋ号室までの各部屋には、カラオケ装置２ａ〜２ｋと、モニタ４１ａ〜４１ｋが設置されている。カラオケ装置２ａ〜２ｋは、ＬＡＮケーブルを介してＬＡＮ１００に接続され、ネットワークを構成している。さらに、ＬＡＮ１００はルータ１２０、光モデム１２１を介してインターネットに接続され、図示しないサーバと通信を行うことができる。このようなネットワーク環境下では、カラオケ装置２ａ〜２ｋは、サーバと通信することで、新しい楽曲情報のダウンロードを行う、あるいは、ユーザ情報や利用履歴などをサーバで管理することが可能となる。
【００２４】
一方、カラオケ装置２に対して、選曲の指示、各種制御命令を出力するリモコン装置１は、管理者（従業者、スタッフともいう）によりカウンタで管理されている。カラオケ店舗に来店したお客様（ユーザ）は、このカウンタで手続を済ましてリモコン装置１を借り受け、管理者に指示された部屋へ移動する。リモコン装置１は、無線ＬＡＮ機能を備えており、店舗内に設置された何れかのアクセスポイント１１０ａ〜１１０ｃを介してＬＡＮ１００に接続され、対応付けられたカラオケ装置２と通信することが可能となっている。
【００２５】
また、カウンタ内には、管理者が操作する管理用コンピュータ６（本発明に係る「管理装置」に相当）が設けられている。この管理用コンピュータ６は、来店したお客様の管理を行う情報処理装置であって、各部屋におけるお客様の入室人数、来店時刻、滞在時間、退店時間、料金等を管理することが可能である。また、本実施形態では、ＬＡＮ１００に接続されており、インターネットを介した通信、あるいは、各部屋に設置されたカラオケ装置２ａ〜２ｋ、あるいは、リモコン装置１と通信を行うことも可能となっている。
【００２６】
図２は、本発明の実施形態に係るカラオケシステム３（本発明に係る「コンテンツ再生システム」）の構成を示す図である。本実施形態におけるカラオケシステム３は、カラオケ装置２（本発明に係る「コンテンツ再生装置」に相当）と、リモコン装置１（本発明に係る「コンテンツ再生成指示装置」に相当）を含んで構成されている。カラオケ装置２とリモコン装置１は、ＬＡＮ１００及びアクセスポイント１１０を利用してネットワークを形成するように接続されている。図１では、各部屋に設置されたカラオケ装置２ａ〜２ｋ、モニタ４１ａ〜４１ｋを識別できるように添字ａ〜ｋを付しているが、図２においては、添字ａ〜ｋを省略して記載している。
【００２７】
カラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置２側の記憶手段としてのＨＤＤ３２（ハードディスク）を備える。カラオケ装置２は、ＬＡＮ１００に接続するため、カラオケ装置側通信手段としてのＬＡＮ通信部２４を備えている。
【００２８】
また、カラオケ装置２は、モニタ４１に対して歌詞、背景映像等の映像を表示させる映像再生手段を備える。この映像再生手段は、背景映像情報に基づいて背景映像を再生する映像再生部２９、再生する背景映像を一時的に蓄積するビデオＲＡＭ２８、再生された背景映像に歌詞を重畳表示する映像制御部３１を備えている。なお、映像制御部３１では、背景映像に対して映像効果を付与する機能を有してもよい。
【００２９】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００３０】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００３１】
さらに、カラオケ装置２は、各構成を統括して制御するための制御手段として、ＣＰＵ等で構成された制御部３０、各種プログラムを実行するにあたって必要となる情報を一時記憶するためのメモリ２７を備えている。
【００３２】
このような構成にてカラオケ装置２は、各種処理を実行することとなるが、カラオケ装置２の主な機能として、選曲処理、再生処理などを実行可能としている。選曲処理は、ユーザからの指定に基づいて楽曲を指定、予約するための処理であってリモコン装置１と連携して実行される。リモコン装置１から送信された楽曲を識別する楽曲ＩＤを含む予約情報をメモリ２７に記憶する予約テーブルに登録する。再生処理は、予約テーブルに登録された予約情報に基づき楽曲を再生させる処理であって、演奏処理と歌詞再生処理とが同期して実行される処理である。なお、本実施形態の再生処理では、楽曲のみならず、映画、ドラマ、バラエティ、ＰＶ（プロモーションビデオ）、音楽ライブ等の各種コンテンツを再生することが可能となっている。
【００３３】
楽曲を再生する演奏処理は、カラオケ情報に含まれる伴奏情報を音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、カラオケ情報に含まれる歌詞情報に基づいて、歌詞をモニタ４１に表示させることで歌唱補助を行う処理である。この歌詞再生処理で表示される歌詞に、背景映像を重畳させて表示させる背景映像表示処理を実行することとしてもよい。
【００３４】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３５】
さらにリモコン装置１は、楽曲検索に必要とされるデータベース、各種プログラム、並びに、プログラム実行に伴って発生する各種情報を記憶するメモリ１４、そして、これら構成を統括して制御するためのリモコン側制御手段を備えて構成される。リモコン側制御手段には、ＣＰＵ等で構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３６】
さらに本実施形態のリモコン装置１は、タッチパネルモニタ１１の上部にカメラ８３が配置されており、撮影、あるいは、画像の読取を行うことが可能となっている。また、タッチパネルモニタ１１の右側には、近接センサとしてのＮＦＣセンサ８４が設けられており、ＮＦＣセンサ８４にかざされたＩＣカード、あるいは、スマホ等の携帯端末に記憶された情報を読み取ることが可能となっている。
【００３７】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。なお、カラオケ装置２の操作は、ユーザ（顧客）が所持するスマートフォン等の携帯端末を使用して行うことも可能である。その場合、ユーザが来店した際、ユーザが所持する携帯端末とカラオケ装置２とが対応付けられる。
【００３８】
ここで、リモコン装置１とカラオケ装置２を対応付ける対応付け処理について説明する。対応付け処理は、（１）予め店舗の従業員によって行われる形態、（２）お客様によって行われる形態が考えられる。
【００３９】
（１）の場合、リモコン装置１とカラオケ装置２とは予め従業員の操作によって対応付け処理が実行され、店舗のカウンタでは、お客様が入室する部屋に設置されるカラオケ装置２に対応付けられたリモコン装置１が貸し出されることになる。
【００４０】
（２）の場合、カウンタで貸し出されるリモコン装置１は、対応付けが解除された状態となっており、お客様が入室した部屋で、お客様の操作によって対応付け処理が実行されることで、借り受けたリモコン装置１と入室した部屋に設置されているカラオケ装置２が対応付けられることになる。
【００４１】
では、対応付け処理の一例について説明する。図３、図４は、本実施形態における対応付け処理であって、図３は、リモコン装置１側で実行される対応付け処理を、図４は、カラオケ装置２側で実行される対応付け処理を示したフロー図である。本実施形態では、リモコン装置１側の赤外線通信部１９と、カラオケ装置２側の赤外線通信部２３の間で通信を行うことで対応付け処理を行うこととしている。リモコン装置１において対応付け処理開始の指示を受け付けことで、リモコン装置１から接続通知がカラオケ装置２側に送信される（Ｓ１０１）。
【００４２】
カラオケ装置２において、この接続通知の受信が確認される（Ｓ１１０：Ｙｅｓ）と、赤外線通信部２３を介して装置側識別情報を送信する（Ｓ１１１）。本実施形態では、装置側識別情報としては、カラオケ装置２の装置ＩＤと、カラオケ装置２に割り当てられているＩＰアドレスを使用している。なお、宛先としての装置ＩＤは特段、必要とするものではない。リモコン装置１とカラオケ装置２とは対面した状況で赤外線通信が行われるためである。なお、本実施形態において接続通知と装置側識別情報の送受信を行う通信手段としては、赤外線通信の他、他の無線通信手段を採用してもよいし、有線通信手段を利用することも可能である。
【００４３】
リモコン装置１では、カラオケ装置２から赤外線送信された装置側識別情報が受信されるのを待つ（Ｓ１０２）。装置側識別情報が受信されると、受信した装置側識別情報を記憶（Ｓ１０３）して対応付け処理を終了する。対応付け処理が完了した後は、装置側識別情報を利用して、対応付けられたカラオケ装置２をＬＡＮ１００上で識別することが可能となり、当該カラオケ装置２とアクセスポイント１１０を介した無線通信を行い、各種情報の伝送を行うことが可能となる。なお、リモコン装置１において、赤外線による装置識別情報を所定時間受信しなかった場合（Ｓ１０４：Ｙｅｓ）、タイムアウト処理として対応付け処理を終了する。
【００４４】
本実施形態のカラオケシステム３では、楽曲のみならず、映画、ドラマ、バラエティ、ＰＶ（プロモーションビデオ）、音楽ライブ等の各種コンテンツ情報を再生することが可能となっている。コンテンツ情報は、自由に再生することができる無料のコンテンツ情報と、コンテンツ情報の視聴に対する対価が必要となる有料のコンテンツ情報がある。有料のコンテンツ情報の再生を希望するユーザは、ユーザが所持するスマートフォン等の携帯端末、あるいは、パーソナルコンピュータ等の情報処理装置を使用して、チケット販売サイトにアクセスし、所望のコンテンツ情報のチケットを購入する。その際、ユーザはコンテンツを視聴する人数（視聴人数）を指定してチケットを購入する。チケット販売サイトでは、指定された視聴人数に応じた価格で課金処理を実行する。例えば、１人あたりの視聴料金が１０００円であって、視聴人数が３人の場合、３×１０００円＝３０００円の料金が課せられることになる。課金処理が完了すると、チケットサーバは、チケット販売サイトで販売されたチケットに関する情報を、チケット情報として記憶するとともに、メール等を使用して、ユーザにチケットＩＤ等を通知する。本実施形態では、ユーザに対してチケットＩＤを含むＱＲコード（登録商標、本発明における「コード情報」に相当）を通知することとしている。
【００４５】
図５は、本実施形態に係るチケット情報のデータ構成を示す図である。チケット情報は、チケットの販売後、チケットサーバに記憶される情報であって、本実施形態では、チケットＩＤ、コンテンツ関連情報、コンテンツＩＤ、視聴人数を含んで構成されている。コンテンツ関連情報は、コンテンツ名、出演者名を含んで構成されている。また、コンテンツ情報には、コンサート等のライブ映像をリアルタイムで配信することも可能であって、ライブ映像のコンテンツの場合には、配信開始日時も含まれている。
【００４６】
次に、カラオケシステム３におけるコンテンツ（有料）の視聴方法について説明する。図６は、本実施形態に係るリモコン装置１の初期画面を示す図である。初期画面には、選曲領域６２、動画配信サービス表示領域６４を含んで構成されている。カラオケを行う場合、ユーザは、選曲領域６２に表示される各種選曲方法を選択することで、当該選曲方法に対応する選曲画面に移動し、所望する楽曲を指定することが可能である。また、コンテンツを楽しみたいユーザは、動画配信サービス表示領域６４を選択することで、コンテンツ選択画面を表示させ、所望のコンテンツを選択することが可能となっている。
【００４７】
図７は、本実施形態に係るコンテンツ選択画面を示す図である。コンテンツ選択画面には、コンテンツ関連情報とコンテンツサムネイル画像が対になって表示され、ユーザは、所望のコンテンツを閲覧しながら選択することが可能となっている。また、コンテンツ選択画面の右側情報には、「チケット読取」と表記されたボタン１１１が表示されている。有料のコンテンツのチケットを購入済みのユーザは、このボタン１１１を操作することで、コンテンツ予約処理を開始する。
【００４８】
図８は、本実施形態に係るコンテンツ予約処理を示すフロー図である。図７のコンテンツ選択画面に表示されたボタン１１１を操作することで、コンテンツ予約処理が開始される。コンテンツ予約処理が開始されると、まず、図９に示される読取説明画面が表示される（Ｓ２０１）。読取説明画面には、ユーザが購入したチケットの読取方法が表示される。本実施形態では、ユーザは、メール、あるいは、チケット購入専用のアプリを使用して受信してＱＲコードをスマートフォン等の携帯端末に表示させる（Ｓｔｅｐ．１）。そして、リモコン装置１のカメラ８３で、携帯端末に表示されたＱＲコードを読み取らせることになる（Ｓｔｅｐ．２）。ＱＲコードの読取は、ボタン１１２を操作することで開始される。
【００４９】
読取説明画面で、ボタン１１２が操作されると、図１０に示されるチケット読取画面が表示される（Ｓ２０２）。このチケット読取画面には、カメラ８３で撮影している映像がタッチパネルモニタ１１内に表示される。また、タッチパネルモニタ１１には、ＱＲ読取範囲１１３が表示されており、ユーザは、このＱＲ読取範囲１１３内に、携帯端末に表示されているＱＲコードが撮影されるように、携帯端末とリモコン装置１の位置関係を調整する。
【００５０】
ＱＲ読取範囲１１３内にＱＲコードを位置させることで、リモコン装置１においてＱＲコードが認識される、すなわち、チケットの読取が完了した場合（Ｓ２０３：Ｙｅｓ）、リモコン装置１は、ＱＲコードに含まれるチケットＩＤを、チケットサーバに送信し、図５で説明したチケットＩＤに対応するチケット情報を受信する（Ｓ２０４）。チケット情報を受信したリモコン装置１は、チケット情報に基づき、チケット確認画面を表示する。なお、リモコン装置１から送信されるチケットＩＤは暗号化して送信することが好ましい。また、チケットＩＤを受信したチケットサーバは、当該チケットＩＤの有効性を確認し、有効性が確認できた場合に、チケット情報をリモコン装置１に送信することが好ましい。
【００５１】
図１１は、本実施形態に係るチケット確認画面を示す図である。チケット確認画面には、受信したチケット情報に基づき、コンテンツ名（コンテンツＡ）、出演者名（出演者Ｂ）、配信開始日時（開始日時）が表示されている。また、「３名分のチケットを読み取りました。」と表記されるように、視聴人数（３人）についても併せて表示されている。本実施形態では、複数人が別々に同じコンテンツに関するチケットを購入している場合を考慮し、複数のチケットを読み取ることが可能となっている。更に別のチケットを読み取りたい場合（Ｓ２０６：Ｙｅｓ）には、ボタン１１４を操作することで、図１０のチケット読取画面に遷移させ、チケットとしてのＱＲコードを読み取らせる。
【００５２】
一方、チケット確認画面で、全てのチケットを読み終えた場合（Ｓ２０６：Ｎｏ）、ユーザはボタン１１５を操作することで、次の処理へと遷移させる。本実施形態では、チケット情報に視聴人数が規定されているため、チケット情報に規定されている視聴人数を通知し、実際に部屋に居る人数以内であることを確認した上で、コンテンツの視聴を許可することとしている。本実施形態では、リモコン装置１のタッチパネルモニタ１１に視聴人数を表示し、従業者による確認作業によって、コンテンツの視聴を許可することとしている。
【００５３】
以下に、本実施形態の視聴人数の通知、確認について説明する。チケット確認画面において、ボタン１１５が操作された場合、図１２に示される人数確認説明画面がタッチパネルモニタ１１に表示される。この人数確認説明画面には、ユーザ（お客様）は従業者(スタッフ）に人数確認作業を依頼する旨が表示されている。ユーザは、部屋内に設置されている内線電話等を使用して、従業者を呼び出し、従業者が来室するのを待つ。
【００５４】
ユーザに呼び出された従業者は、人数確認説明画面に表示されているボタン１１６を操作して、図１３に示されるスタッフ専用確認画面を表示させる。本実施形態では、スタッフ専用確認画面の表示が、従業者に対する視聴人数の通知（Ｓ２０７）に相当している。スタッフ専用確認画面には、コンテンツ名等、コンテンツ関連情報に含まれる各種情報の他、視聴人数（ご利用人数、この例では３名）が表示されている。従業者は、スタッフ専用確認画面に表示されている視聴人数が、実際に部屋に居るユーザの人数内であるか否かを確認する（Ｓ２０８）。
【００５５】
視聴人数が、実際に部屋に居るユーザの人数内であることが確認できた場合（Ｓ２０９：Ｙｅｓ）、従業者は、スタッフ専用確認画面のボタン１１８を操作して、図１４に示されるＩＣカード読取画面を表示させて許可処理（Ｓ２１０）を実行する。本実施形態では、許可権限を有する従業者が所持するＩＣカードを、リモコン装置１に搭載される８４にかざすことで、ＩＣカードに記憶された情報を読み取り、それが適正である場合に、コンテンツの視聴を許可することとしている。コンテンツの視聴が許可された場合、タッチパネルモニタ１１には、図１５に示される予約確認画面が表示される（Ｓ２１１）。予約確認画面には、ボタン１１９が表示されており、ユーザがボタン１１９を操作すること（Ｓ２１２：Ｙｅｓ）によって、コンテンツＩＤを含む予約情報がカラオケ装置２に送信される（Ｓ２１３）。
【００５６】
一方、図１３のスタッフ専用確認画面の確認において、実際に部屋に居るユーザの人数が表示されている視聴人数を超えている場合（Ｓ２１４：Ｙｅｓ）、コンテンツを視聴するには料金が不足することになる。その場合、従業者は、ボタン１１７を操作することで、ユーザに対する課金処理（Ｓ２１５）を実行させる。課金処理（Ｓ２１５）としては、ユーザが所持する携帯端末において、追加のチケットを購入させ、チケット読取画面で読み取らせる形態が考えられるが、このような形態以外に、リモコン装置１のみで追加のチケットを購入させる形態、あるいは、店舗で追加のチケットに必要な料金を徴収する形態等、各種形態を使用することが考えられる。
【００５７】
課金処理（Ｓ２１５）が完了し、視聴人数が変更される（Ｓ２１６）と、変更された視聴人数で、スタッフ専用確認画面を表示させ、従業者による再度の確認を待つことになる。この場合、チケット情報に規定されている視聴人数は、実際に部屋に居る入室人数以内となるため、従業者は、ボタン１１８を操作してＩＣカードによる許可処理（Ｓ２１０）を実行する。
【００５８】
図１６には、カラオケ装置２で実行される再生処理を示すフロー図が示されている。カラオケ装置２は、予約テーブルを参照（Ｓ３０１）し、次に再生すべき予約情報の有無を判定する（Ｓ３０２）。予約情報がある場合（Ｓ３０２：Ｙｅｓ）、予約情報中、開始時間指定コンテンツが含まれているか否かが判定される（Ｓ３０３）。ここで、開始時間指定コンテンツとは、ライブコンサートを生中継する、あるいは、映画の封切り時等、予め、開始時間が指定されているコンテンツのことであって、チケット情報中の配信開始日時に基づいて判定することが可能である。例えば、予約情報中に含まれているコンテンツＩＤが、チケット情報を参照することで配信開始日時が規定されていると判定された場合には、開始時間指定コンテンツであると判定される。一方、上映中の映画、ドラマ、プロモーションビデオ等、配信開始日時が規定されていない、あるいは、現時点において配信中である場合は、開始時間指定コンテンツではないと判定される。
【００５９】
配信時間指定コンテンツが無いと判定された場合（Ｓ３０３：Ｎｏ）、次に再生すべき予約情報が楽曲を指定しているのか、コンテンツを指定しているのかが判定される（Ｓ３０４）。楽曲が指定されている場合（Ｓ３０４：楽曲）、指定された楽曲に対応するカラオケ情報の再生を開始（Ｓ３０５）し、楽曲の再生が終了（Ｓ３０６：Ｙｅｓ）すると、予約テーブルのチェックに戻る。一方、コンテンツが指定されている場合（Ｓ３０４：コンテンツ）、指定されたコンテンツに対応するコンテンツ情報の再生を開始（Ｓ３０８）し、楽曲の再生が終了（Ｓ３１９：Ｙｅｓ）すると、予約テーブルのチェックに戻る。
【００６０】
一方、予約テーブル中に開始時間指定コンテンツがあると判定された場合（Ｓ３０３：Ｙｅｓ）、当該開始時間指定コンテンツの開始時間（チケット情報中の配信開始日時）の所定時間前（本実施形態では１分前）に、予約情報中の次の予約（楽曲またはコンテンツ）が再生終了できるか否かが判定される（Ｓ３０８）。次の予約が再生できる場合（Ｓ３０８：Ｙｅｓ）には、次の楽曲の再生（Ｓ３０５）、もしくは、次のコンテンツの再生（Ｓ３０９）を実行する。一方、次の予約が再生できない場合（Ｓ３０８：Ｎｏ）には、開始時間指定コンテンツの再生に備え開始時間が到来した後、開始時間指定コンテンツの再生を開始する（Ｓ３０９）。コンテンツの再生が終了（Ｓ３１０：Ｙｅｓ）すると、その後、予約テーブルのチェックに戻る。
【００６１】
なお、本実施形態では、視聴人数が指定されているコンテンツを再生する際、コンテンツが再生表示されるモニタ４１には、視聴人数を表示することとしている。モニタ４１に視聴人数を表示することで、コンテンツの再生中、従業者等が容易に確認することが可能となる。また、視聴しているユーザに対しても視聴人数を認識させることが可能となり、視聴人数を超えて視聴する不正な視聴を抑制させる効果もある。なお、コンテンツの再生時における視聴人数の表示は、モニタ４１に表示する形態に限られるものでは無く、例えば、リモコン装置１のタッチパネルモニタ１１に表示する等、コンテンツが再生される部屋内で視認可能な各種表示部に表示することが考えられる。そして、視聴人数の表示は、コンテンツの再生中、常に表示する形態のほか、コンテンツの再生中、適宜タイミングで表示することとしてもよい。
【００６２】
このように、本実施形態では、楽曲とコンテンツを同じ予約テーブルで管理することとしており、例えば、コンテンツ情報の再生の合間に楽曲情報を再生することが可能となっている。また、コンサートのライブ中継のように、開始時間が規定されている開始時間指定コンテンツを再生する場合、その再生直前まで、楽曲を再生する、あるいは、他のコンテンツを視聴することが可能となっている。
【００６３】
なお、本実施形態では、開始時間指定コンテンツの開始時間が到来する前に、再生を終えることが可能な楽曲または他のコンテンツを再生することとしているが、開始時間指定コンテンツの再生の再生は、このような形態に限られるものでは無く、例えば、開始時間が到来した場合、再生中の楽曲、他のコンテンツの再生を中断して、開始時間指定コンテンツを再生開始する等、各種形態を採用することが考えられる。
【００６４】
以上、本実施形態のコンテンツ再生システム（本実施形態の「カラオケシステム３」）、コンテンツ再生指示装置（本実施形態の「リモコン装置１」）について、説明したが、本実施形態のコンテンツ再生システム、コンテンツ再生指示装置によれば、購入情報（本実施形態の「チケット情報」）に規定された視聴人数を通知する通知処理を実行することで、適正な視聴人数でコンテンツを視聴させることが可能となる。
【００６５】
なお、本実施形態では、モニタ４１及びリモコン装置１に視聴人数を表示する通知形態の通知処理を採用し、従業者による確認処理、及び、許可処理によりコンテンツの再生を行うこととしているが、通知処理、確認処理、及び、許可処理については、各種の変形例を採用することが可能である。以下に、これらの変形例について説明する。
【００６６】
（第１の変形例）
図１で説明したように、本実施形態の店舗においては、各部屋の入室状況（入室人数、料金、入室時間、退室時間等）を管理する管理用コンピュータ６を使用している。コンテンツの視聴人数は、この管理用コンピュータ６に通知する形態を採用してもよい。例えば、各部屋に監視カメラが設置され、管理用コンピュータ６で各部屋の状況を視認できるような環境下では、管理用コンピュータ６で各部屋の状況（部屋に何人いるか）を確認することが可能である。各部屋で読み取られたチケットの視聴人数を管理用コンピュータ６で表示させることで、従業者は、カメラによる部屋の状況、及び、チケットの視聴人数を確認し、該当する部屋でのコンテンツ視聴を遠隔操作によって許可することが可能となる。
【００６７】
また、カメラで撮影された部屋の状況を画像認識することで、部屋の状況から入室人数を算出することも考えられる。通知された視聴人数を、算出された入室人数と対比し、部屋の入室人数が視聴人数以下である条件、例えば、部屋の入室人数が４人の場合、視聴人数が４人以下であるという条件を満たすことで、コンテンツの視聴を許可することとしてもよい。
【００６８】
（第２の変形例）
管理用コンピュータ６は、各部屋の入室状況（入室人数、料金、入室時間、退室時間等）を管理することが可能である。各部屋で読み取られたチケットの視聴人数を管理用コンピュータ６に通知する場合、通知された視聴人数を、管理用コンピュータ６で管理している該当する部屋の入室人数と対比し、部屋の入室人数が視聴人数以下である条件を満たすことで、コンテンツの視聴を許可することとしてもよい。この場合、コンテンツの視聴許可を自動化することも可能であるため、迅速なコンテンツ視聴を行うことが可能となるとともに、従業員の手間も削減することが可能となる。
【００６９】
（第３の変形例）
第１の変形例、第２の変形例で説明した管理用コンピュータ６は、店舗のカウンタ内に設置される形態に限られるものでは無く、例えば、従業者が携帯可能な情報処理装置としてもよい。その場合、情報処理装置は、無線通信でＬＡＮ１００に接続される。このような形態により、従業者は、カウンタ内のみならず、各種場所において各種処理を行うことが可能となる。
【００７０】
（第４の変形例）
前述した実施形態では、１人あたりのコンテンツの視聴料金を一律として、コンテンツの再生に必要な料金を算出することとしていた。例えば、１人あたりのコンテンツ視聴料金が１０００円の場合、視聴人数が３人であれば、再生に必要な料金は３０００円となる。１人あたりのコンテンツの視聴料金は一律とする形態に限らず、例えば、映画館で行われているような料金体系（例えば、大人、子供で異なる料金とする）こととしてもよい。その場合、視聴人数の通知は、料金の異なる種別毎に通知されることが必要となる。例えば、大人の視聴料金が１０００円／人、子供の視聴料金が５００円／人であって、大人２名、子供２名の場合、その旨、通知されることになり、前述した実施形態では、従業者は、実際の入室人数が、この通知に適合していることをもってコンテンツの再生を許可することになる。
【００７１】
以上、本実施形態のカラオケシステム３（本発明に係る「コンテンツ再生システム」）、リモコン装置１（本発明に係る「コンテンツ再生指示装置」）について説明を行ったが、本発明はカラオケシステム３、リモコン装置１に限らず、各種情報処理装置で実行可能なコンテンツ再生指示プログラムについても本発明の範疇に属する。
【符号の説明】
【００７２】
１：リモコン装置                ２８：ビデオＲＡＭ
２（２ａ〜２ｋ）：カラオケ装置  ２９：映像再生部
３：カラオケシステム            ３０：制御部
５：サーバ装置                  ３１：映像制御部
６：管理用コンピュータ          ３２：ＨＤＤ
１１：タッチパネルモニタ        ３３：タッチパネルモニタ
１１ａ：表示部                  ３３ａ：表示部
１１ｂ：タッチパネル            ３３ｂ：タッチパネル
１２：ビデオＲＡＭ              ４１（４１ａ〜４１ｋ）：モニタ
１３：映像制御部                ４２：スピーカ
１４：メモリ                    ４４ａ：歌唱用マイク
１５：制御部                    ４４ｂ：歌唱用マイク
１６：無線ＬＡＮ通信部          ６２：選曲領域
１７：操作部                    ６４：動画配信サービス表示領域
１８：操作処理部                ８３：カメラ
１９：赤外線通信部              ８４：ＮＦＣセンサ
２１：操作部                    １１０（１１０ａ〜１１０ｃ）：アクセスポイント
２２：操作処理部                １１１、１１２、１１４〜１１９：ボタン
２３：赤外線通信部              １１３：ＱＲ読取範囲
２４：ＬＡＮ通信部              １２０：ルータ
２５：音響制御部                １２１：光モデム
２７：メモリ
【図１】
2020201441.tif 000003
【図２】
2020201441.tif 000004
【図３】
2020201441.tif 000005
【図４】
2020201441.tif 000006
【図５】
2020201441.tif 000007
【図６】
2020201441.tif 000008
【図７】
2020201441.tif 000009
【図８】
2020201441.tif 000010
【図９】
2020201441.tif 000011
【図１０】
2020201441.tif 000012
【図１１】
2020201441.tif 000013
【図１２】
2020201441.tif 000014
【図１３】
2020201441.tif 000015
【図１４】
2020201441.tif 000016
【図１５】
2020201441.tif 000017
【図１６】
2020201441.tif 000018